(57)【要約】  データ及び制御チャネルの両方のスケジューリングを伴うマルチサブフレームグラント。無線デバイスによって実行される方法は、少なくとも１つのデータサブフレーム及び少なくとも１つの制御サブフレームを無線デバイスに指示するネットワークノードからの上りリンクグラントを受信することを含む。少なくとも１つのデータサブフレームは、データストリーム及びオプションで制御データを運ぶチャネルを送信するために無線デバイスにスケジューリングされるものであり、少なくとも１つの制御サブフレームは、制御データのみを運ぶチャネルを送信するために無線デバイスにスケジューリングされるものである。方法は、上りリンクグラントによって示される少なくとも１つのデータサブフレームと少なくとも１つの制御サブフレームとの少なくともいずれかにおける送信をさらに含む。【選択図】  図１４
2019505109.tif 000002
【特許請求の範囲】
【請求項１】
無線デバイスにおいて実行される方法（１４００）であって、
ネットワークノードからの、少なくとも１つのデータサブフレーム及び少なくとも１つの制御サブフレームを前記無線デバイスに示す上りリンクグラントであって、前記少なくとも１つのデータサブフレームはデータストリーム及びオプションで制御データを運ぶチャネルを送信するために前記無線デバイスにスケジューリングされるものであり、前記少なくとも１つの制御サブフレームは制御データのみを運ぶチャネルを送信するために前記無線デバイスにスケジューリングされるものである、前記上りリンクグラントを受信すること（１４０２）と、
前記上りリンクグラントにより示される前記少なくとも１つのデータサブフレームと前記少なくとも１つの制御サブフレームとの少なくともいずれかにおいて、送信を行うこと（１４０４）と、
を含む方法。
【請求項２】
前記上りリンクグラントは、データサブフレーム及び制御サブフレームからなるシーケンスを記述するグラント情報を含む、請求項１に記載の方法。
【請求項３】
前記グラント情報は、前記シーケンスの各サブフレームに対して、当該サブフレームがデータサブフレームであるか制御サブフレームであるかを示す、請求項２に記載の方法。
【請求項４】
前記シーケンスにおける各サブフレームは、当該サブフレームがデータサブフレームであるか制御サブフレームであるかを示す、前記グラント情報における値と関連付けられる、請求項２又は３に記載の方法。
【請求項５】
前記シーケンスにおける各サブフレームは、リッスン−ビフォア−トーク手順に対応するための時間ギャップを当該サブフレームに含めるかを示す、前記グラント情報における値と関連付けられる、請求項２から４のいずれか１項に記載の方法。
【請求項６】
前記シーケンスにおける各サブフレームは、独立して割り当て可能な２つの値であって、当該値のうちの第１の値は当該サブフレームがデータサブフレームであるか制御サブフレームであるかを示す値であり、当該値のうちの第２の値はリッスン−ビフォア−トーク手順に対応するための時間ギャップを当該サブフレームに含めるかを示す値である、前記２つの値と関連付けられる、請求項４に従属する請求項５に記載の方法。
【請求項７】
リッスン−ビフォア−トーク手順に対応するための時間ギャップをサブフレームに含めるかの表示を、別個の制御チャネルで受信することをさらに有する、請求項２から４のいずれか１項に記載の方法。
【請求項８】
データサブフレーム及び制御サブフレームの前記シーケンスが、前記グラント情報によって黙示的に記述される、請求項２、３、５、６、７のいずれか１項に記載の方法。
【請求項９】
前記シーケンスの前記黙示的な記述は、データサブフレームの位置又はデータサブフレームの範囲に対する制御サブフレームの位置についての合意に基づく、請求項８に記載の方法。
【請求項１０】
前記シーケンスの前記黙示的な記述は、サブフレームの連続した範囲が当該連続した範囲の開始及び終了に関して記述される合意に基づく、請求項９に記載の方法。
【請求項１１】
前記上りリンクグラントを含んだサブフレームの所定数サブフレーム後に前記グラント情報によって記述される前記シーケンスが開始する、請求項２から１０のいずれか１項に記載の方法。
【請求項１２】
前記上りリンクグラントは、所定の送信機会が制御サブフレームであるかを前記無線デバイスに示すアクティベーション情報を含む、請求項１から１１のいずれか１項に記載の方法。
【請求項１３】
前記所定の送信機会は、複数の無線デバイスに共通の制御チャネルで受信されるシグナリングにより事前に示される、請求項１２に記載の方法。
【請求項１４】
前記複数の無線デバイスに共通の前記制御チャネルはセル固有である、請求項１３に記載の方法。
【請求項１５】
前記無線デバイスはマルチキャリア動作に適合し、前記上りリンクグラントは複数の上りリンクキャリアにおける同時送信に関する、請求項１から１４のいずれか１項に記載の方法。
【請求項１６】
前記上りリンクグラントは、各上りリンクキャリアに対して、当該上りリンクキャリアにおけるデータサブフレームと制御サブフレームとからなるシーケンスの全長を示すマルチキャリア情報を含む、請求項１５に記載の方法。
【請求項１７】
前記ネットワークノードへ、スケジューリング要求を初めに送信することをさらに含む、請求項１から１６のいずれか１項に記載の方法。
【請求項１８】
無線デバイス（１３００）であって、
受信器（１３０２）と、
送信器（１３０４）と、
少なくとも１つのプロセッサ（１３０６）と、
前記少なくとも１つのプロセッサ（１３０６）によって実行可能な命令を記憶するメモリ（１３０８）と、
を有し、
前記命令は、
ネットワークノードから、少なくとも１つのデータサブフレームと少なくとも１つの制御サブフレームとを前記無線デバイス（１３００）へ示す上りリンクグラントであって、前記少なくとも１つのデータサブフレームは、データストリーム及びオプションで制御データを運ぶチャネルを送信するために前記無線デバイス（１３００）にスケジューリングされるものであり、前記少なくとも１つの制御サブフレームは制御データのみを運ぶためのチャネルを送信するために前記無線デバイス（１３００）にスケジューリングされるものである、前記上りグラントを、前記受信器（１３０２）を用いて受信し、
前記上りリンクグラントによって示される前記少なくとも１つのデータサブフレームと前記少なくとも１つの制御サブフレームの少なくともいずれかにおいて、前記送信器（１３０４）を用いて、送信を行う、
ための命令である、無線デバイス。
【請求項１９】
前記メモリが請求項２から１７のいずれか１項に記載の方法を実行するための命令をさらに有する、請求項１８に記載の無線デバイス。
【請求項２０】
前記無線デバイスはユーザ端末である、請求項１８又は１９に記載の無線デバイス。
【請求項２１】
ネットワークノードにおいて実行される方法（１５００）であって、
少なくとも１つのデータサブフレームと少なくとも１つの制御サブフレームとを無線デバイスに対して示す上りリンクグラントであって、前記少なくとも１つのデータサブフレームがデータストリーム及びオプションで制御データを運ぶチャネルを送信するために前記無線デバイスにスケジューリングされるものであり、前記少なくとも１つの制御サブフレームが制御データのみを運ぶためのチャネルを送信するために前記無線デバイスにスケジューリングされるものである、前記上りリンクグラントを送信すること（１５０２）と、
前記上りリンクグラントを受信した無線デバイスから、前記上りリンクグラントによって示される前記少なくとも１つのデータサブフレームと前記少なくとも１つの制御サブフレームとにおける送信信号を受信すること（１５０４）と、
を有する方法。
【請求項２２】
前記上りリンクグラントは、データサブフレームと制御サブフレームとからなるシーケンスを記述するグラント情報を含む、請求項２１に記載の方法。
【請求項２３】
前記グラント情報は、前記シーケンスにおける各サブフレームに対して、当該サブフレームがデータサブフレームであるか制御サブフレームであるかを示す、請求項２２に記載の方法。
【請求項２４】
前記シーケンスにおける各サブフレームは、当該サブフレームがデータサブフレームであるか制御サブフレームであるかを示す、前記グラント情報における値と関連付けられる、請求項２２又は２３に記載の方法。
【請求項２５】
前記シーケンスにおける各サブフレームは、当該サブフレームにリッスン−ビフォア−トーク手順に対応するための時間ギャップを含めるかを示す、前記グラント情報における値と関連付けられる、請求項２２から２４のいずれか１項に記載の方法。
【請求項２６】
前記シーケンスにおける各サブフレームは、独立して割り当て可能な２つの値であって、当該値のうちの第１の値は当該サブフレームがデータサブフレームであるか制御サブフレームであるかを示す値であり、当該値のうちの第２の値はリッスン−ビフォア−トーク手順に対応するための時間ギャップを当該サブフレームに含めるかを示す値である、前記２つの値と関連付けられる、請求項２４に記載の方法。
【請求項２７】
リッスン−ビフォア−トーク手順に対応するための時間ギャップをサブフレームに含めるかの表示を、別個の制御チャネルで送信することをさらに有する、請求項２２から２４のいずれか１項に記載の方法。
【請求項２８】
データサブフレーム及び制御サブフレームの前記シーケンスが、前記グラント情報によって黙示的に記述される、請求項２２、２３、２５、２６、２７のいずれか１項に記載の方法。
【請求項２９】
前記シーケンスの前記黙示的な記述は、データサブフレームの位置又はデータサブフレームの範囲に対する制御サブフレームの位置についての合意に基づく、請求項２８に記載の方法。
【請求項３０】
前記シーケンスの前記黙示的な記述は、サブフレームの連続した範囲が当該連続した範囲の開始及び終了に関して記述される合意に基づく、請求項２９に記載の方法。
【請求項３１】
前記上りリンクグラントを含んだサブフレームの所定数サブフレーム後に前記グラント情報によって記述される前記シーケンスが開始する、請求項２２から３０のいずれか１項に記載の方法。
【請求項３２】
前記上りリンクグラントは、所定の送信機会が制御サブフレームであるかを前記無線デバイスに示すアクティベーション情報を含む、請求項２１から３１のいずれか１項に記載の方法。
【請求項３３】
前記所定の送信機会は、複数の無線デバイスに共通の制御チャネルで送信されるシグナリングにより事前に示される、請求項３２に記載の方法。
【請求項３４】
前記複数の無線デバイスに共通の前記制御チャネルはセル固有である、請求項３３に記載の方法。
【請求項３５】
前記無線デバイスはマルチキャリア動作に適合し、前記上りリンクグラントは複数の上りリンクキャリアにおける同時送信に関する、請求項２１から３４のいずれか１項に記載の方法。
【請求項３６】
前記上りリンクグラントは、各上りリンクキャリアに対して、当該上りリンクキャリアにおけるデータサブフレームと制御サブフレームとからなるシーケンスの全長を示すマルチキャリア情報を含む、請求項３５に記載の方法。
【請求項３７】
前記無線デバイスから、スケジューリング要求を初めに受信することをさらに含み、当該スケジューリング要求の受信に応答して前記上りリンクグラントが送信される、請求項２１から３６のいずれか１項に記載の方法。
【請求項３８】
受信器（１２０２）、送信器（１２０４）、少なくとも１つのプロセッサ（１２０６）、及び前記少なくとも１つのプロセッサ（１２０６）によって実行可能な命令を記憶するメモリ（１２０８）を有するネットワークノード（１２００）であって、
前記命令は、
少なくとも１つのデータサブフレームと少なくとも１つの制御サブフレームとを無線デバイスへ示す上りリンクグラントであって、前記少なくとも１つのデータサブフレームはデータストリーム及びオプションで制御データを運ぶチャネルを送信するために前記無線デバイスにスケジューリングされるものであり、前記少なくとも１つの制御サブフレームは制御データのみを運ぶためのチャネルを送信するために前記無線デバイスにスケジューリングされるものである、前記上りグラントを、前記送信器（１２０４）を用いて送信し、
前記上りリンクグラントを受信した無線デバイスから、前記上りリンクグラントによって示される前記少なくとも１つのデータサブフレームと前記少なくとも１つの制御サブフレームにおける前記無線デバイスからの送信を、前記受信器を用いて、受信する、
ための命令である、ネットワークノード。
【請求項３９】
前記メモリが請求項２２から３７のいずれか１項に記載の方法を実行するための命令をさらに有する、請求項３８に記載のネットワークノード。
【請求項４０】
プログラム可能なプロセッサに、請求項１から１７のいずれか１項または請求項２１から３７のいずれか１項に記載の方法を実行させるためのコンピュータ可読命令を有するコンピュータプログラム。
【請求項４１】
請求項４０に記載のコンピュータプログラムを記憶するコンピュータ可読媒体を有するコンピュータプログラム製品。
【請求項４２】
前記上りリンクグラントが１つのサブフレームに含まれる、請求項１から４１のいずれか１項に記載の方法又はデバイス。
【請求項４３】
前記サブフレームは、１ｍｓの区間又は１ｍｓのオーダの区間を有する、請求項４２に記載の方法又はデバイス。
【請求項４４】
前記上りリンクグラントは、少なくとも１つのデータサブフレーム及び少なくとも１つの制御サブフレームを示すことに加えて、
リソース／インタレース割り当て及び周波数ホッピングフラグ、
クロスキャリアスケジューリングのためのキャリアインジケータ、
変調及び符号化方式（ＭＣＳ）、
ニューデータインジケータ（ＮＤＩ）、
複合自動再送要求（ＨＡＲＱ）情報及びリダンダンシバージョン（ＲＶ）、
スケジューリングされたＰＵＳＣＨのための電力制御コマンド、
上りリンク復調参照信号（ＤＭＲＳ）のためのサイクリックシフト、
リッスン−ビフォア−トーク手順に対応するための時間ギャップを伴うサブフレームを設定するためのフラグビット又はビット系列、
非周期チャネル品質インデクス（ＣＱＩ）報告の送信又は非周期サウンディング参照信号（ＳＲＳ）伝送の要求、
のうちの１つ以上を含む、請求項１から４３のいずれか１項に記載の方法又はデバイス。
【請求項４５】
前記上りリンクグラントは、少なくとも１つのデータサブフレーム及び少なくとも１つの制御サブフレームを示すことに加えて、チャネル状態情報（ＣＳＩ）報告の要求と複合自動再送要求（ＨＡＲＱ）情報とのうちの１つ以上を含む、請求項１から４３のいずれか１項に記載の方法又はデバイス。
【請求項４６】
前記少なくとも１つのデータサブフレーム及び前記少なくとも１つの制御サブフレームは、ライセンスされていない周波数のような、リッスン−ビフォア−トークに基づくキャリアで送信されるべきものである、請求項１から４５のいずれか１項に記載の方法又はデバイス。
【請求項４７】
前記少なくとも１つのデータサブフレームは、共有チャネルを送信するために用いられる、請求項１から４６のいずれか１項に記載の方法又はデバイス。
【請求項４８】
前記共有チャネルは、３ＧＰＰのＬＴＥにおいて規定される物理上りリンク共有チャネル（ＰＵＳＣＨ）を含む、請求項４７に記載の方法又はデバイス。
【請求項４９】
前記少なくとも１つの制御サブフレームは、３ＧＰＰのＬＴＥにおいて規定される物理上りリンク制御チャネル（ＰＵＣＣＨ）又は拡張ＰＵＣＣＨ（ｅＰＵＣＣＨ）のいずれかを送信するために用いられる、請求項１から４８のいずれか１項に記載の方法又はデバイス。
【請求項５０】
前記上りリンクグラントは、３ＧＰＰのＬＴＥにおいて規定される物理下りリンク制御チャネル（ＰＤＣＣＨ）で送信される、請求項１から４９のいずれか１項に記載の方法又はデバイス。
【請求項５１】
前記別個の制御チャネルは、Ｃ−物理上りリンク制御チャネル（Ｃ−ＰＵＣＣＨ）を含む、請求項７に記載の方法。
【請求項５２】
前記別個の制御チャネルは、物理上りリンク制御チャネル（Ｃ−ＰＵＣＣＨ）を含む、請求項２７に記載の方法。
【請求項５３】
データサブフレームと制御サブフレームとからなる前記シーケンスは合計４つのサブフレームを有する、請求項２に記載の方法。
【請求項５４】
データサブフレームと制御サブフレームとからなる前記シーケンスは、３つのデータサブフレームと１つの制御サブフレームを含む、請求項５３に記載の方法。
【請求項５５】
データサブフレームと制御サブフレームとからなる前記シーケンスは合計４つのサブフレームを有する、請求項２２に記載の方法。
【請求項５６】
データサブフレームと制御サブフレームとからなる前記シーケンスは、３つのデータサブフレームと１つの制御サブフレームを含む、請求項５５に記載の方法。
【請求項５７】
データサブフレームと制御サブフレームとからなる前記シーケンスは、合計８又は１０個のサブフレームを含む、請求項２に記載の方法。
【請求項５８】
データサブフレームと制御サブフレームとからなる前記シーケンスは、合計８又は１０個のサブフレームを含む、請求項２２に記載の方法。
【発明の詳細な説明】
【技術分野】
【０００１】
ここで開示される主題の実施形態は、概してセルラ通信ネットワークに関し、ライセンスされた周波数に加えてライセンスされていない無線周波数で無線通信機器が動作することを可能とするための方法及び機器に関する。
【背景技術】
【０００２】
無線通信は、専用の周波数内で行われる。例えば、今まで、ロングタームエボリューション（ＬＴＥ）セルラ通信ネットワークによって用いられる周波数は、ＬＴＥの専用である。これは、ＬＴＥシステムが他の周波数使用との周波数共存問題を何ら考慮する必要がなく、周波数効率を最大化可能であるという利点を有する。しかしながら、ＬＴＥに割り当てられた周波数は限定的であり、アプリケーション及びサービスからのより高いスループットに対するなおも増加する要求を満たすことができないかもしれない。
【０００３】
したがって、ライセンスされた周波数に加えて、ライセンスされていない無線周波数において無線通信機器を動作可能とすることに対する検討が与えられている。例えば、「ライセンスド−アシステッド・アクセス」（ＬＡＡ）は、ＬＴＥ設備が、ライセンスされていない５ＧＨｚの無線周波数においても動作することを可能としうる。ライセンスされた周波数に対する補充として、ライセンスされていない５ＧＨｚの周波数が使用されうる。したがって、機器は、ライセンスされた周波数（プライマリセルまたはＰＣｅｌｌ）に接続し、ライセンスされていない周波数（セカンダリセルまたはＳＣｅｌｌ）において追加の送信キャパシティから利益を得るために、キャリアアグリゲーションを使用しうる。さらに、ライセンスされていない周波数におけるＬＴＥの単独動作も可能でありうることが考えられる。
【０００４】
しかしながら、本発明の発明者は、ライセンスされていない周波数における伝送が課題を提示していることを認識している。ライセンスされていない周波数は、定義により、多数の異なる技術によって同時に使用されうる。したがって、ライセンスされていない周波数における無線デバイスによる通信は、ＩＥＥＥ８０２．１１（Ｗｉ−Ｆｉ（登録商標））などの、同じ周波数を利用しうる他のシステムとの共存問題を検討する必要がある。例えば、ライセンスされた周波数と同じ方法でライセンスされていない周波数にスケジューリングされにおいてＬＴＥを動作させることが、Ｗｉ−Ｆｉはチャネルが占有されていることを検出すると送信を行わないため、Ｗｉ−Ｆｉの性能を著しく劣化させうる。
【０００５】
したがって、上述の問題及び欠点を回避する、より具体的には、無線通信機器がライセンスされた周波数に加えてライセンスされていない無線周波数で動作することを可能とする方法及び機器を提供するにスケジューリングされ、システム及び方法を提供することが望ましい。
【発明の概要】
【０００６】
本書面で説明される様々な実施形態において、マルチサブフレームグラントが、ライセンスされた周波数に加えて又はこれに代えてライセンスされていない無線周波数において通信するための１つ以上のデータ及び制御サブフレームを、無線デバイスに指示する。
【０００７】
実施形態によれば、無線デバイスにおいて実行される方法がある。本方法は、少なくとも１つのデータサブフレーム及び少なくとも１つの制御サブフレームを無線デバイスに指示するネットワークノードからの上りリンクグラントを受信することを含む。少なくとも１つのデータサブフレームは、データストリームとオプションの制御データを運ぶためのチャネルを送信するために無線デバイスにスケジューリングされるものであり、少なくとも１つの制御サブフレームは、制御データのみを運ぶためのチャネルを送信するために無線デバイスにスケジューリングされるものである。方法は、さらに、上りリンクグラントにより指示された、少なくとも１つのデータサブフレームと少なくとも１つの制御サブフレームとの少なくともいずれかを送信することを含む。
【０００８】
別の実施形態によれば、無線デバイスがある。無線デバイスは、受信器、送信器、少なくとも１つのプロセッサ、及びメモリを含む。メモリは、受信器を用いて、少なくとも１つのデータサブフレーム及び少なくとも１つの制御サブフレームを無線デバイスに指示するネットワークノードからの上りリンクグラントを受信するための、少なくとも１つのプロセッサにより実行可能な命令を記憶する。少なくとも１つのデータサブフレームは、データストリームとオプションの制御データを運ぶためのチャネルを送信するために無線デバイスにスケジューリングされるものであり、少なくとも１つの制御サブフレームは、制御データのみを運ぶためのチャネルを送信するために無線デバイスにスケジューリングされるものである。メモリは、上りリンクグラントにより指示された、少なくとも１つのデータサブフレームと少なくとも１つの制御サブフレームとの少なくともいずれかにおいて、送信器を用いて送信を行うための、少なくとも１つのプロセッサによって実行可能な命令を記憶する。
【０００９】
また別の実施形態によれば、ネットワークノードにおいて実行される方法がある。本方法は、少なくとも１つのデータサブフレーム及び少なくとも１つの制御サブフレームを無線デバイスに指示する上りリンクグラントを送信することを含む。少なくとも１つのデータサブフレームは、データストリームとオプションの制御データを運ぶためのチャネルを送信するために無線デバイスにスケジューリングされるものであり、少なくとも１つの制御サブフレームは、制御データのみを運ぶためのチャネルを送信するために無線デバイスにスケジューリングされるものである。本方法は、上りリンクにより指示された、少なくとも１つのデータサブフレームと少なくとも１つの制御サブフレームとの少なくともいずれかにおいて、上りリンクを受信した無線デバイスからの送信信号を受信することをさらに含む。
【００１０】
また別の実施形態によれば、ネットワークノードがある。ネットワークノードは、受信器、送信器、少なくとも１つのプロセッサ、及びメモリを含む。メモリは、送信器を用いて、少なくとも１つのデータサブフレーム及び少なくとも１つの制御サブフレームを無線デバイスに指示する上りリンクグラントを送信するための、少なくとも１つのプロセッサによって実行可能な命令を記憶する。少なくとも１つのデータサブフレームは、データストリームとオプションの制御データを運ぶためのチャネルを送信するために無線デバイスにスケジューリングされるものであり、少なくとも１つの制御サブフレームは、制御データのみを運ぶためのチャネルを送信するために無線デバイスにスケジューリングされるものである。メモリは、受信器を用いて、上りリンクにより指示された、少なくとも１つのデータサブフレームと少なくとも１つの制御サブフレームとの少なくともいずれかにおいて、上りリンクを受信した無線デバイスから、その無線デバイスからの送信信号を受信するために、少なくとも１つのプロセッサによって実行可能な命令を記憶する。
【図面の簡単な説明】
【００１１】
本明細書に組み込まれると共にその一部を構成する添付の図面は、１つ以上の実施形態を図解しており、記述と共にこれらの実施形態を説明する。
【図１】図１は、例示のＬＴＥ下りリンク時間周波数グリッドの略図である。
【図２】図２は、例示のＬＴＥ時間周波数構造の略図である。
【図３】図３は、例示の下りリンクサブフレームの略図である。
【図４】図４は、例示の上りリンクサブフレームの略図である。
【図５】図５は、キャリアアグリゲーションの略図である。
【図６】図６は、Ｗｉ−Ｆｉのリッスン・ビフォア・トーク（ＬＢＴ）の略図である。
【図７】図７は、ＬＴＥキャリアアグリゲーションを用いた、ライセンスされていない周波数に対するライセンスド−アシステッド・アクセス（ＬＡＡ）の略図である。
【図８】図８は、ＵＬ  ＬＡＡリッスン・ビフォア・トーク伝送の略図である。
【図９】図９は、ＰＵＣＣＨ伝送の２つの形式の略図である。
【図１０】図１０は、ｅＰＵＣＣＨ伝送に先立つＵＬ  ＰＵＳＣＨ伝送のバーストをスケジューリングするためにＤＬで送信される、２つのマルチサブフレームグラント及び１つのｅＰＵＣＣＨの略図である。
【図１１】図１１は、本発明の例示の実施形態による、マルチサブフレーム（ＭＳＦ）グラントの略図である。
【図１２】図１２は、本発明の例示の実施形態による、ネットワークノードの略図である。
【図１３】図１３は、本発明の例示の実施形態による無線デバイスの略図である。
【図１４】図１４は、本発明の例示の実施形態による、図１３の無線デバイスによって実行される例示の方法のフローチャートである。
【図１５】図１５は、本発明の例示の実施形態による、図１２のネットワークノードによって実行される例示の方法のフローチャートである。
【発明を実施するための形態】
【００１２】
以下の実施形態の説明は、添付の図面を参照する。異なる図面における同じ参照番号は、同一の又は同様の要素を特定する。以下の詳細な説明は、本発明を限定しない。次に議論されるべき実施形態は、以下に説明される構成に限定されず、後述のように他の構成に拡張されうる。
【００１３】
本明細書の全体を通じて、「１つの実施形態」又は「実施形態」への言及は、実施形態との関連で説明される特定の特徴、構造、又は特性は、開示される主題の少なくとも１つの実施形態において含まれることを意味する。したがって、本明細書の全体を通じて様々な場所でフレーズ「１つの実施形態において」や「実施形態において」が出現するのは、必ずしも同一の実施形態に言及していない。さらに、その特定の特徴、構造又は特性は、１つ以上の実施形態において、任意の適切な方法で組み合されうる。別個であるように説明される特徴、構造又は特性は、単一の特徴、構造又は特性へと組み合されうる。同様に、個体であるように説明される特徴、構造、又は特性が、２つ以上の特徴、構造、又は特性に分割されうる。例えば、図１２を参照して単一のメモリ１２０８が開示されているが、そのメモリは、１つより多いメモリに又は１つよりさらに多くの種類のメモリに分割されうる。同様に、図１２を参照して開示される受信器１２０２及び送信器１２０４は、組み合されてトランシーバとされてもよい。
【００１４】
本書面では、以下の略語が用いられる。
ＡＣＫ          肯定応答
Ｂ−ＩＦＤＭＡ  ブロックインタリーブド周波数分割多元接続
ＣＡ            キャリアアグリゲーション
ＣＣ            コンポーネントキャリア
ＣＣＡ          クリア・チャネル・アセスメント
ＣＦＩ          制御フォーマットインジケータ
Ｃ−ＰＤＣＣＨ  共通物理下りリンク制御チャネル
ＣＲＣ          サイクリック・リダンダンシ・チェック
Ｃ−ＲＮＴＩ    セル無線ネットワーク一時識別子
ＣＲＳ          セル固有参照シンボル
ＣＳＭＡ／ＣＡ  衝突回避を伴うキャリアセンス多元接続
ＣＷ            コンテンション・ウィンドウ
ＤＣＦ          分散協調機能
ＤＣＩ          下りリンク制御インジケータ
ＤＦＴ          離散フーリエ変換
ＤＩＦＳ        ＤＣＦフレーム間隔
ＤＬ            下りリンク
ＤＭＲＳ        復調参照シンボル
ＤｗＰＴＳ      下りリンクパイロット時間スロット
ｅＮＢ          ｅＮｏｄｅＢ
ｅＬＡＡ        拡張ライセンスド−アシステッド・アクセス
ＥＰＤＣＣＨ    拡張物理下りリンク制御チャネル
ｅＰＵＣＣＨ    拡張物理上りリンク制御チャネル
ＦＤＭＡ        周波数分割多元接続
ＨＡＲＱ        複合自動再送要求
ＬＡＡ          ライセンスド−アシステッド・アクセス
ＬＢＴ          リッスン−ビフォア−トーク
ＬＴＥ          ロングタームエボリューション
ＬＴＥ−Ａ      ＬＴＥ−Ａｄｖａｎｃｅｄ
ＭＣＯＴ        最大チャネル占有時間
ＭＣＳ          変調及び符号化方法
ＭＳＦ          マルチサブフレームグラント
ＮＡＣＫ        否定応答
ＰＣｅｌｌ      プライマリＣｅｌｌ
ＰＤＣＣＨ      物理下りリンク制御チャネル
ＰＵＣＣＨ      物理上りリンク制御チャネル
ＰＵＳＣＨ      物理上りリンク共有チャネル
ＯＦＤＭ        直行周波数分割多重
ＳＣ−ＦＤＭＡ  シングルキャリア周波数分割多元接続
ＳＣｅｌｌ      セカンダリセル
ｓＰＵＣＣＨ    ショート物理上りリンク制御チャネル
ＳＲＳ          サウンディング参照信号
ＴＸＯＰ        送信機会
ＵＥ            ユーザ端末
ＵＣＩ          上りリンク制御情報
ＵＬ            上りリンク
ＷＬＡＮ        無線ローカルエリアネットワーク
【００１５】
上述のように、本発明の発明者は、ライセンスされていない周波数における伝送が課題を提示していることを認識している。
【００１６】
法的規制が、事前のチャネルセンシングを行わずにライセンスされていない周波数で送信することを許可しない可能性がある。ライセンスされていない周波数は類似の又は非類似の無線技術の他の無線機と共有されるため、いわゆるリッスン−ビフォア−トーク（ＬＢＴ）方法が適用される必要がありうる。ＬＢＴは、事前定義された最小時間量とチャネルがビジーである場合のバックオフとの間、媒体をセンシングすることを含む。非限定的な例として、ライセンスされていない５ＧＨｚ周波数は、主として、米国電気電子技術者協会（ＩＥＥＥ）８０２．１１無線ローカルエリアネットワーク（ＷＬＡＮ）標準）を実装する装置によって使用される。この標準は、その商用ブランド「Ｗｉ−Ｆｉ」で知られている。
【００１７】
本実施形態は、ロングタームエボリューション（ＬＴＥ）無線通信標準及びＷｉ−Ｆｉ無線標準と共に議論されることに留意すべきである。当業者は、本発明がＬＴＥ及びＷｉ−Ｆｉ無線通信への用途に限定されず、任意のこのようなシステムに適用可能であることを理解するだろう。
【００１８】
例示の実施形態に対する文脈を与えるために、ＬＴＥ及びＷｉ−Ｆｉの関連する態様の議論が有益でありうる。
【００１９】
ＬＴＥ
図１は、例示のＬＴＥ下りリンクの時間周波数グリッド１００の略図である。ＬＴＥは、下りリンクにおいて直行周波数分割多重（ＯＦＤＭ）を、上りリンクにおいて（シングルキャリア周波数分割多元接続ＦＤＭＡとも呼ばれる）離散フーリエ変換ＤＦＴスプレッドＯＦＤＭを使用する。このように、基本のＬＴＥ下りリンク物理リソースは、図１に図解するように時間周波数グリッド１００として見ることができ、ここで、各リソースエレメント１０２は１つのＯＦＤＭシンボル間隔の間の１つのＯＦＤＭサブキャリアに対応する。上りリンクサブフレームは、管井リンクト同じサブキャリア間隔と、時間領域において下りリンクのＯＦＤＭシンボルと同じ数のＳＣ−ＦＤＭＡシンボルを有する。
【００２０】
図２は、例示のＬＴＥ時間領域構造２００の略図である。時間領域において、ＬＴＥ下りリンク伝送は、１０ｍｓの無線フレーム２０２に編成され、各無線フレーム２０２は、図２に示すように長さＴｓｕｂｆｒａｍｅ＝１ｍｓの等しいサイズの１０個のサブフレーム２０４からなる。各サブフレームは、それぞれ０．５ｍｓの２つのスロットを含み、スロットのフレーム内での番号付けは０から１９に及ぶ。通常のサイクリックプリフィックスに対し、１つのサブフレーム２０４は、１４ＯＦＤＭシンボルからなる。各シンボルの区間は、約７１．４μｓである。
【００２１】
さらに、ＬＴＥにおけるリソース割り当ては、通常、リソースブロックを単位として説明され、ここで、リソースブロックは、時間領域において１スロット（０．５ｍｓ）及び周波数領域において１２個の連続するサブキャリアに対応する。時間領域において２つの隣接するリソースブロックのペア（１．０ｍｓ）は、リソースブロックペアとして知られる。リソースブロックは、周波数領域において、システム帯域幅の一端から０で始まる番号が付される。
【００２２】
図３は、例示の下りリンクサブフレーム３００の略図である。下りリンク伝送は、動的にスケジューリングされ、すなわち、各サブフレームにおいて、基地局は、現在の下りリンクサブフレームにおいて、どの端末に対してデータが送信されるか及びどのリソースブロック状でデータが伝送されるかについての制御情報を送信する。この制御シグナリングは、通常、各サブフレームにおける最初の１、２、３または４つのＯＦＤＭシンボルにおいて送信され、その数ｎ＝１、２、３、又は４は、制御フォーマットインジケータ（ＣＦＩ）として知られる。また、下りリンクサブフレーム３００は、受信器に知られておりかつ例えば制御情報のコヒーレント復調に使用される共通参照シンボルを含む。制御としてＣＦＩ＝３ＯＦＤＭシンボルの下りリンクシステムが図３に図解されている。そこで示される参照シンボルはセル固有参照シンボル（ＣＲＳ）であり、高精度時間及び周波数同期や所定の伝送モードのためのチャネル推定を含む複数の機能をサポートするのに用いられる。
【００２３】
図４は、例示の上りリンクサブフレーム４００の略図である。上りリンク伝送は動的にスケジューリングされ、すなわち、各下りリンクサブフレームにおいて、基地局は、どの端末がその後のサブフレームにおいてｅＮＢへデータを送信すべきか及びどのリソースブロックでデータが送信されるかについての制御情報を送信する。上りリンクリソースグリッドは、物理上りリンク共有チャネル（ＰＵＳＣＨ）におけるデータ及び上りリンク制御情報、物理上りリンク制御チャネル（ＰＵＣＣＨ）における上りリンク制御情報、及び、復調参照信号（ＤＭＲＳ）及びサウンディング参照信号（ＳＲＳ）などの様々な参照信号からなる。ＤＭＲＳは、ＰＵＳＣＨ及びＰＵＣＣＨデータのコヒーレント復調に用いられ、一方でＳＲＳは、データや制御情報とは関連付けられず、大まかに、周波数選択制スケジューリングのための上りリンクチャネル品質を推定するのに用いられる。なお、ＵＬ  ＤＭＲＳ及びＳＲＳは、ＵＬサブフレーム４００内に時間多重され、ＳＲＳは、通常のＵＬサブフレーム４００の最後のシンボルにおいて常に送信される。ＰＵＳＣＨのＤＭＲＳは、サブフレームに対する各スロットくにおいて、通常のサイクリックプリフィックスを用いて一回送信され、４番目及び１１番目のＳＣ−ＦＤＭＡシンボルに配置される。
【００２４】
ＬＴＥの最近の実装では、ＤＬ又はＵＬのリソース割り当てを、拡張物理下りリンク制御チャネル（ＥＰＤＣＣＨ）上でスケジューリングすることができる。以前のリリースに対しては、物理下りリンク制御チャネル（ＰＤＣＣＨ）のみが利用可能である。リソースグラントは、ＵＥ固有であり、ＤＣＩサイクリックリダンダンシチェック（ＣＲＣ）を、ＵＥ固有Ｃ−ＲＮＴＩ識別子を用いてすく欄ブリングすることにより指示される。
【００２５】
ＬＴＥ及びＬＴＥアドバンスド（ＬＴＥ−Ａ）では、ＰＵＳＣＨにおける各ＵＬ伝送が、ＰＤＣＣＨ又はＥＰＤＣＣＨにおけるＤＣＩフォーマット０のＤＬサブフレームにおいて送信される、単一のＵＬグラントを用いて動的にスケジューリングされうる。ＵＬ伝送は、ＵＬグラントが受信された４ｍｓ後に行われる。したがって、ＵＥによってＮサブフレームにわたってＮ個のＵＬ  ＰＵＳＣＨ伝送を動的にスケジューリングするには、サービングセルによって、Ｎ個のＤＬサブフレームにおいて、Ｎ個のＵＬグラントが送信される必要がある。代替的に、周期的なＵＬＰＵＳＣＨ伝送が、ＵＬ伝送ごとのＵＬグラントの必要がない、セミパーシステントスケジューリングを用いてスケジューリングされうる。
【００２６】
図５は、キャリアアグリゲーション５００の略図である。ＬＴＥの最近のリリースは２０ＭＨｚより広い帯域幅をサポートしている。２０ＭＨｚより広い帯域幅をサポートしない可能性のある以前のリリースとの公報互換性が確保されていることが望ましい場合がある。これは、周波数互換性をも含むはずである。したがって、２９ＭＨｚより広いキャリアは、以前のＬＴＥ端末に対しては、多数のＬＴＥのキャリアとして見えるべきである。このようなキャリアのそれぞれは、コンポーネントキャリア（ＣＣ）と呼ばれうる。特に、２０ＭＨｚより広い帯域幅をサポートしているＬＴＥの早期の展開に対しては、２０ＭＨｚより広い帯域幅をサポートしていないＬＴＥのレガシの端末と比較して、２０ＭＨｚより広い能力の端末の数が少ないことが予想されうる。したがって、レガシの端末に対しても広いキャリアの効率的な使用が確実にされること、すなわち、広帯域（２０ＭＨｚより大きい）キャリアの全部分においてレガシ端末がスケジューリングされうるようなキャリアの実装が可能であることが必要である。これを得る容易な方法は、キャリアアグリゲーション（ＣＡ）を用いるものであろう。ＣＡは、２０ＭＨｚより広い帯域幅をサポートしている端末装置が複数のＣＣを受信することができ、ここで、ＣＣは、以前のＬＴＥリリースと同じキャリアを有する又は少なくとも有する可能性があることを意味する。ＣＡ５００を、図５に図解する。ＣＡが可能なＵＥに対しては、常に有効化されるプライマリセル（ＰＣｅｌｌ）及び動的に有効化又は無効化されうる１つ以上のセカンダリセル（ＳＣｅｌｌ）が割り当てられる。
【００２７】
集約されたＣＣ５０２の数及び個別のＣＣの帯域幅は、上りリンクと下りリンクとで異なりうる。対称構成は、下りリンク及び上りリンクにおけるＣＣの数が同一である場合を指し、その一方で非対称構成は、ＣＣの数が異なる場合を指す。重要なことは、端末から見たＣＣの数が、セルにおいて構成されたＣＣの数と異なりうることに留意すべきことである：セルが同数の上りリンクＣＣと下りリンクＣＣを用いて構成されていたとしても、端末は、例えば上りリンクＣＣより多くの下りリンクＣＣをサポートしうる。
【００２８】
Ｗｉ−Ｆｉ
Ｗｉ−Ｆｉの関係する態様の議論を背景のために与える。無線ローカルエリアネットワーク（ＷＬＡＮ）の通常の展開では、媒体アクセスのために、衝突回避を伴うキャリアセンス多元接続（ＣＳＭＡ／ＣＡ）が使用される。これは、クリア・チャネル・アセスメント（ＣＣＡ）を実行するためにチャネルがセンシングされ、チャネルがアイドルであると示された場合に、送信が開始されることを意味する。チャネルがビジーであると示された場合は、チャネルがアイドルと判断されるまでは送信は基本的に先送りされる。
【００２９】
図６は、Ｗｉ−Ｆｉのリッスン・ビフォア・トーク（ＬＢＴ）機構の略図である。Ｗｉ−ＦｉステーションＡがステーションＢへデータフレームを送信した後に、ステーションＢは、１６μｓの遅延を伴って、ステーションＡへＡＣＫフレームを返送しなければならない。このようなＡＣＫフレームは、ＬＢＴ動作を実行することなく、ステーションＢによって送信される。別のステーションがこのようなＡＣＫフレーム伝送を解釈することを防ぐため、ステーションは、チャネルが占有されていることが観測された後では、チャネルが占有されているかを再度評価する前に、（ＤＩＦＳと呼ばれる）３４μｓの区間だけ先送りしなければならない。したがって、送信を望むステーションは、まず、固定区間ＤＩＦＳの間媒体をセンシングすることによって、クリア・チャネル・アセスメント（ＣＣＡ）を実行する。媒体がアイドルである場合、ステーションは、媒体の所有権を取得してフレーム交換シーケンスを開始してもよいと想定する。媒体がビジーである場合、ステーションは、媒体がアイドルとなるのを待機して、さらなるランダムバックオフ期間だけ待機する。
【００３０】
媒体が利用可能となった場合、複数のＷｉ−Ｆｉステーションが送信する用意を行うことができ、これが衝突を招きうる。衝突を削減するために、送信することを意図しているステーションは、ランダムバックオフカウンタを選択し、スロットチャネルアイドル時間をその数だけ延期する。ランダムバックオフカウンタは、［０，ＣＷ］の期間にわたる一様分布から取り出されるランダム整数として選択される。ランダムバックオフ・コンテンションウィンドウのデフォルトサイズ（ＣＷｍｉｎ）は、ＩＥＥＥ規格において設定されうる。チャネルアクセスを争う多くのステーションが存在する場合、このランダムバックオフプロトコルの下でも、なおも衝突が生じうることが理解されるべきである。したがって、衝突が繰り返されることを防ぐために、バックオフ・コンテンションウィンドウのサイズＣＷは、ステーションがその送信の衝突を検出した場合には、ＩＥＥＥ規格において設定されうる限界（ＣＷｍａｘ）まで、倍増される。ステーションは、衝突なく送信に成功した場合、ランダムバックオフ・コンテンションウィンドウのサイズを、そのデフォルト値ＣＷｍｉｎにリセットする。
【００３１】
ライセンスされていない周波数
今まで、ＬＴＥによって使用される周波数は、ＬＴＥ専用である。これは、ＬＴＥシステムが共存問題を考慮する必要がなく、周波数効率が最大化されうるという利点を有する。しかしながら、ＬＴＥに割り当てられている周波数は限定されており、これにより、アプリケーション／サービスからのより大きいスループットに対するさらに増大する要求を満たすことができない。ライセンスド−アシステッド・アクセス（ＬＡＡ）は、ライセンスされた周波数に加えてライセンスされていない周波数を利用するようにＬＴＥを拡張した。ライセンスされていない周波数は、本質的に、複数の異なる技術により同時に使用されうる。したがって、ＬＴＥは、ＩＥＥＥ８０２．１１（Ｗｉ−Ｆｉ）などの他のシステムとの共存問題を考慮する必要がある。ライセンスされた周波数と同じ方法で、ライセンスされていない周波数においてＬＴＥを動作させることは、Ｗｉ−Ｆｉはチャネルが占有されていることを検出した場合には送信しないため、Ｗｉ−Ｆｉの性能を著しく劣化させうる。
【００３２】
ライセンスされていない周波数を確実に利用する１つの方法は、ライセンスされたキャリアにおいて、基本的な制御信号及びチャネルを送信することである。図７は、ＬＴＥキャリアアグリゲーションを用いた、ライセンスされていない周波数に対するライセンスド−アシステッド・アクセス（ＬＡＡ）の略図である。すなわち、図７に示すように、ＵＥ７０２が、ライセンスされた帯域でＰＣｅｌｌ７０４に、そして、ライセンスされていない帯域で１つ以上のＳＣｅｌｌ７０６に、接続する。ここでは、ライセンスされていない周波数におけるセカンダリセルを、ライセンスド−アシステッド・アクセス・セカンダリセル（ＬＡＡ  ＳＣｅｌｌ）と呼ぶ場合がある。Ｍｕｌｔｅｆｉｒｅのようにスタンドアロン動作の場合、上りリンク制御信号伝送のために利用可能なライセンスされたセルはない。
【００３３】
ライセンスされていない帯域における単一のＤＬ＋ＵＬ送信機会（ＴＸＯＰ）の最大チャネル占有時間（ＭＣＯＴ）は、地域の規制制限によって制限される。例えば、欧州では、ＥＮ  ＢＲＡＮが、以下のＭＣＯＴ規則を検討している：１００％の時間利用可能な最大ＴｘＯＰ＝６ｍｓを特定すること；（１００μｓのオーダで）［ＴＢＤ］μｓの最小休止を伴って１００％の時間利用可能な最大ＴｘＯＰ＝８ｍｓを特定すること；［ＴＢＤ３］％の時間利用可能な最大ＴｘＯＰ＝１０ｍｓを特定すること。
【００３４】
ｅＬＡＡの１つの実装において、ＵＬグラントとＵＬ伝送との間の最小遅延を４ｍｓとするＵＬグラントとＵＬ伝送との間のフレキシブルタイミングがサポートされうる。さらに、ＵＬ  ＰＵＳＣＨスケジューリングが、以下のオプションのうちのいずれかからダウンセレクトされうる。
【００３５】
オプション１：あるＵＥに対するあるサブフレームにおける単一ＵＬグラントが、サブフレームごとに１つのＰＵＳＣＨを用いて、Ｎ（Ｎ≧１）個のサブフレームにおけるそのＵＥのためのＮ個のＰＵＳＣＨ伝送をスケジューリングすることができる。
【００３６】
オプション２：あるＵＥに対するあるサブフレームにおける単一ＵＬグラントが、単一のサブフレームにおける単一のＰＵＳＣＨ伝送をスケジューリングすることができる一方で、ＵＥが、異なるサブフレームにおけるＰＵＳＣＨ伝送のために、あるサブフレームにおいて複数のＵＬグラントを受信することができる。
【００３７】
オプション３：あるＵＥに対するあるサブフレームにおける単一ＵＬグラントが、ＵＬ  ＬＢＴ結果に応じて複数のサブフレームのうちの１つでＵＥが単一のＰＵＳＣＨ伝送を送信することを可能とすることができる。
【００３８】
２ステージグラント：共通のセミパーシステントグラントが、高レベル情報（例えばリソースブロック（ＲＢ）割り当て、変調及び符号化方法（ＭＣＳ）など）を与え、あるＵＥに対するサブフレームにおける第２のグラントが、所定のＵＬサブフレームに対するオプション１及び２に従って、ＰＵＳＣＨをスケジューリングすることができる。
【００３９】
上述のオプション１は、マルチサブフレームグラントであるように定義されうるものである。マルチサブフレームグラントは、ライセンスされていない帯域におけるＵＬスループットを大幅に劣化させるような制御シグナリングオーバヘッド及びスケジューリングされたＵＬ伝送ごとにグラントを伝送するＤＬ伝送に対する必要性を低減する点で、著しい効果を与える。
【００４０】
Ｍｕｌｔｅｆｉｒｅアライアンスフォーラムにおいて、ＵＬ伝送に対してマルチサブフレームグラントがサポートされることについて合意された。
【００４１】
グラントが受信された後のＰＵＳＣＨのためのＵＬ  ＬＢＴについて、ｅＬＡＡの１つの実装では、自己スケジューリングのためのＵＬ  ＬＢＴが、（ＤＬ  ＤＲＳと同様に）少なくとも２５μｓの単一のＣＣＡ期間と、その後に１つのＣＣＡスロットが続く１６μｓの保留区間及び決定される最大のコンテンションウィンドウサイズを含んだ２５μｓの保留区間を有するランダムバックオフ手順とのいずれかを用いることができる。これらのオプションは、他のライセンスされていないＳＣｅｌｌによるＵＬのクロスキャリアスケジューリングにも適用可能である。同様のＬＢＴオプションがｅＰＵＣＣＨ伝送のために有効である。
【００４２】
図８は、ＵＬ  ＬＡＡのリッスン・ビフォア・トーク伝送８００の略図である。図８では、ＵＬグラントが、ライセンスされていないキャリアにおいて送信される。
【００４３】
Ｍｕｌｔｅｆｉｒｅに対して、ＰＵＣＣＨ伝送の２つの形式が定義されている：図９に示すように、時間方向に２から６の間のシンボルを有するショートＰＵＣＣＨ（ｓＰＵＣＣＨ）９０２、及び、時間方向の１つのサブフレームにわたる、より長い、エンハンスドＰＵＣＣＨ（ｅＰＵＣＣＨ）９０４である。ｓＰＵＣＣＨ９０２は、Ｒｅｌ−１３のＬＡＡにおいて定義されるようなパーシャルＤＬサブフレームのＤｗＰＴＳ部分の直後に現れ、一方で、ｅＰＵＣＣＨ９０４は、１ｍｓのＵＬサブフレームにおけるＰＵＳＣＨ伝送と多重化されうる。ｓＰＵＣＣＨ及びｅＰＵＣＣＨの両方が、Ｂ−ＩＦＤＭＡに基づくインタレース伝送モードを利用する。
【００４４】
ｅＰＵＣＣＨ伝送のトリガのために、共通ＰＤＣＣＨ（Ｃ−ＰＤＣＣＨ）又はＵＬグラント（ＤＣＩベースの）ベースのトリガの両方がサポートされ、ｅＮＢは、いずれか又は両方の機構を使用することができる。
【００４５】
図１０は、２つのマルチサブフレームグラント、及び、その後にｅＰＵＣＣＨ伝送が続くＵＬ  ＰＵＳＣＨ伝送のバーストをスケジューリングするためにＤＬで送信される１つのｅＰＵＣＣＨグラントの略図である。マルチサブフレームグラントがＵＬ  ＰＵＳＣＨ伝送に対してのみに制限される場合、ｅＮＢは、ＵＬサブフレームのバーストの後にｅＰＵＣＣＨ伝送をトリガしたい場合には、潜在的に、ｅＰＵＣＣＨのためのＵＬグラントを運ぶＤＬ伝送を用いて、ＰＵＳＣＨサブフレームのスケジューリングされたＵＬバーストを中断しなければならない。これは、ＤＬ及びＵＬのＬＢＴのための追加のギャップの導入を強制し、ＵＬスループットを低減し、オーバーヘッドを増やし、Ｗｉ−Ｆｉ又は他のＬＡＡノードに対する媒体を失うリスクを増やす。このような非効率な動作のモードの例を図１０に示しており、ここでは、ｅＰＵＣＣＨ伝送がその後に続くＵＬ  ＰＵＳＣＨのバーストをスケジューリングするために、トータルで４つのＬＢＴステップ及び３つのＵＬグラントが必要とされる。
【００４６】
Ｍｕｌｔｅｆｉｒｅにおいて、ｅＰＵＣＣＨ伝送も、Ｃ−ＰＤＣＣＨを用いてトリガされうる。現在、Ｃ−ＰＤＣＣＨにおいて、４つのリザーブビットが、将来のＵＬサブフレームの状態（例えば、それらがフルＵＬサブフレームであるかパーシャルＵＬサブフレームであるか）を示すために利用可能である。Ｃ−ＰＤＣＣＨは、セル固有であるため、ＵＥ固有のマルチサブフレームグラントとして使用されるための十分な粒度の制御を与えない。さらに、ｅＰＵＣＣＨをトリガするためにＣ−ＰＤＣＣＨを使用することは、全てのＵＥが同じサブフレームでｅＰＵＣＣＨを送信することを強制され、異なるＵＥからのｅＰＵＣＣＨとＰＵＳＣＨとを同じサブフレームで多重化することが実現可能でないことになる。
【００４７】
したがって、本発明の実施形態は、一連のＰＵＳＣＨ及びＰＵＣＣＨ伝送をスケジューリングするために、単一の、ＵＥ固有のマルチサブフレームＵＬグラントを使用する。このアプローチは、Ｍｕｌｔｅｆｉｒｅ、Ｒｅｌ−１４のｅＬＡＡ、マルチサブフレームグラントのサポートを有するＲｅｌ−１４及びそれ以降におけるＬＴＥ、ライセンスされていない帯域におけるＬＴＥの他のバージョン、及びライセンスされていない周波数におけるＮＲ／５Ｇシステムなどのシステムに適用可能である。
【００４８】
データ及び制御サブフレームを示すマルチフレームＵＬグラント
本発明の実施形態は、１つ以上のＰＵＳＣＨサブフレーム（すなわち、データストリームと、場合によってはＵＣＩなどの制御データを運びうるデータサブフレーム）と１つ以上のＰＵＣＣＨ（例えばｅＰＵＣＣＨ）サブフレーム（すなわち、制御データのみを運びうる制御サブフレーム）のシーケンスを送信するか否か及びいつ送信するかをＵＥに対して示す、そのＵＥ固有のマルチサブフレームＵＬグラントの中に含まれるシグナリングを含み、ここで、全体のシーケンスの中でのＰＵＳＣＨ伝送とＰＵＣＣＨ伝送との順序付けは任意でありうる。マルチサブフレームＵＬグラントが、以下の例のような、追加の情報を運んでもよいことが理解されるべきである：リソース／インタレース割り当て及び周波数ホッピングフラグ；クロスキャリアスケジューリングのためのキャリアインジケータ；変調及び符号化方法（ＭＣＳ）；ニューデータインジケータ（ＮＤＩ）；ＨＡＲＱ情報及びリダンダンシバージョン（ＲＶ）；スケジューリングされたＰＵＳＣＨに対する電力制御コマンド；上りリンク復調ＲＳのためのサイクリックシフト；ＬＢＴに対するＵＬサブフレームのパンクチャリングを構成するための１つまたは複数のフラグビット；及び、ＣＱＩ報告又は非周期的ＳＲＳ伝送の送信要求。
【００４９】
図１１は、本発明の例示の実施形態によるマルチサブフレーム（ＭＳＦ）グラント１１００の略図である。ＭＳＦグラント１１００は、Ｎ個のＵＬサブフレームにわたる、同じＵＥによる１つ以上のＰＵＳＣＨ及びｅＰＵＣＣＨ伝送の伝送シーケンスを示すビット系列を含みうる。非限定的な例として、Ｎ個のＵＬサブフレームが時間的に連続しており、かつ、同一のＵＥがＮ−１個のサブフレームにおけるＰＵＳＣＨと１つのサブフレームにおける１つのｅＰＵＣＣＨを送信すべき場合、２Ｎビットのビット系列が、各サブフレームに対する２ビットのスケジューリング情報を伴って、ＭＳＦグラント１１００において送信されうる。サブフレームごとの各ビットペアに対して、最上位ビットと最下位ビットとのいずれかが、ＰＵＳＣＨを送信するかｅＰＵＣＣＨを送信するかを示すことができ（例えば「０」がｅＰＵＣＣＨを示し、「１」がＰＵＳＣＨを示す）、一方で、他方のビットは、ＬＢＴのためのギャップを生成するために、ＵＬサブフレームをパンクチャするか否かを示しうる。Ｎ個のＵＬサブフレームが時間的に連続していない場合、「伝送なし」を示すために、追加のビットが追加されうる。提案のＭＳＦグラント及びＮ＝４個の連続するサブフレーム１１０２、１１０４、１１０６、１１０８を伴う例示のスケジューリング結果を図１１に示す。図のように、最初の３つのサブフレーム１１０２、１１０４、１１０６がデータストリーム及び必要に応じて制御情報を運びうるデータサブフレーム（例えばＰＵＳＣＨ）でありうる一方で、４番目のサブフレーム１１０８は、制御データのみを運びうる制御サブフレーム（例えばｅＰＵＣＣＨ）でありうる。チャネル状態情報（ＣＳＩ）報告又は１つ以上のサービングセルにおける先のＤＬバーストの早期のＨＡＲＱ  ＡＣＫ／ＮＡＣＫがサービングセルによって要求されうるため、ｅＰＵＣＣＨが常にＵＬバーストの最後に続く（例えば、図１１に示す最後のサブフレーム１１０８である）必要はない。このような状況においては、上りリンクグラントは、ＣＳＩ報告又はＨＡＲＱ  ＡＣＫ／ＮＡＣＫ情報の要求を含みうる。ＣＳＩ報告又はＨＡＲＱ  ＡＣＫ／ＮＡＣＫ情報は、例えば、マルチサブフレームシーケンスの最後のサブフレームにおいて送信されうる。
【００５０】
上述の例の別のバリエーションでは、ｅＰＵＣＣＨサブフレームがＰＵＳＣＨ伝送のバーストの後又は前に位置するように準静的に構成される場合、ｅＰＵＣＣＨ伝送サブフレームの指示が黙示的になされうる。この場合、ＭＳＦグラントは、ビットマップ又は開始及び終了サブフレームの範囲を用いてＰＵＳＣＨサブフレームの位置を明示的に指示してもよく、一方で、ＵＥは、ｅＰＵＣＣＨの位置を、例えば、最後のＰＵＳＣＨ伝送の後の又は最初のＰＵＳＣＨサブフレームの前のサブフレームにおけるものであると推測してもよい。
【００５１】
ＭＳＦグラントの別の例示の実施形態では、ｅＰＵＣＣＨサブフレーム機会の位置は、セル固有のＣ−ＰＤＣＣＨに基づいて決定されてもよく、また、全てのＵＥに対して共通であってもよく、一方、ＵＥ固有のＭＳＦグラントは、特定のＵＥに対して、ｅＰＵＣＣＨ伝送を送信またはサポートすべきかを示してもよい。これは、例えば、（Ｎ＋１）長ビット系列を用いて達成されてもよく、ここで、最初のＮビットがＮ個の連続するサブフレームに対してＰＵＳＣＨ伝送サブフレームが発生するか否かを示してもよく、一方で、最後のビットが共通のｅＰＵＣＣＨ機会の間にｅＰＵＣＣＨ伝送を送信するか抑制するかを示しうる。
【００５２】
ＭＳＦグラントのまた別の例示の実施形態では、マルチキャリア伝送の態様が、ＭＳＦグラントのために考慮されうる。複数のＵＬキャリアが利用可能である場合、単一のＭＦＳグラントが、複数のＵＬキャリアにまたがるＰＵＳＣＨ及びｅＰＵＣＣＨ伝送のシーケンスを並列にスケジューリングすることを指示するのに使用されうる。異なるＵＬキャリアにおける伝送シーケンスの全体の区間は、それらが同一のサブフレームから開始しうるが、相異なりうる。例えば、同一のＭＳＦグラントを用いて、キャリア１においてＵＥがＮ１個のＰＵＳＣＨ＋ｅＰＵＣＣＨサブフレームを送信するようにスケジューリングされながら、キャリア２ではそのＵＥがＮ２個のＰＵＳＣＨ＋ｅＰＵＣＣＨサブフレームを送信するようにスケジューリングされてもよい。各ＵＬキャリアに対して、先の実施形態のために上述したようなビット系列を用いてスケジューリング表示が行われうる。系列長の知識がどのサブフレームにおいて送信すべきかをＵＥに伝えるためにキャリアごとに要求されうる一方で、グラントにおける他のスケジューリング情報は、どのように送信するか（どのＭＣＳ、リダンダンシバージョンなど）をＵＥに伝えうる。
【００５３】
図１２は、本発明の例示の実施形態によるネットワークノード１２００の略図である。ネットワークノード１２００は、受信器１２０２、送信器１２０４、少なくとも１つのプロセッサ１２０６又は処理回路、及び、本発明の例示の実施形態による方法を実行するための命令を収容できうるメモリ１２０８を含みうる。図１３は、本発明の例示の実施形態による無線デバイス１３００の略図である。無線デバイス１３００は、受信器１３０２、送信器１３０４、少なくとも１つのプロセッサ１３０６又は処理回路、及び、本発明の例示の実施形態による方法を実行するための命令を含んだメモリ１３０８を含みうる。
【００５４】
図１４は、本発明の例示の実施形態による、図１３の無線デバイス１３００によって実行される例示の方法１４００のフローチャートである。動作１４０２において、無線デバイス１３００は、少なくとも１つのデータサブフレーム及び少なくとも１つの制御サブフレームを無線デバイス１３００に対して指示する、ネットワークノード１２００からの上りリンクグラントを、受信器１３０２を介して受信しうる。上りリンクグラントは、ＵＥ固有のマルチサブフレームＵＬグラントでありうる。データサブフレームは、データストリーム及びオプションで制御データを運ぶためのチャネルを送信するために無線デバイスにスケジューリングされるものでありうる。例えば、データサブフレームは、ＰＵＳＣＨを送信するために無線デバイスにスケジューリングされるサブフレームでありうる。制御サブフレームは、制御データのみを運ぶためのチャネルを送信するために無線デバイスにスケジューリングされるものでありうる。例えば、制御サブフレームは、ＰＵＣＣＨ又はｅＰＵＣＣＨのいずれかを送信するために無線デバイスにスケジューリングされるサブフレームでありうる。動作１４０４では、無線デバイス１３００は、送信器１３０４を介して、上りリンクグラントによって示されたサブフレーム少なくとも一部において、送信を行いうる。
【００５５】
上りリンクグラントは、データサブフレーム及び制御サブフレームからなるシーケンスを説明するグラント情報を含みうる。グラント情報は、シーケンス内の各サブフレームに対して、それがデータサブフレームであるか制御サブフレームであるかを示しうる。シーケンス内の各サブフレームは、そのサブフレームがデータサブフレームであるか制御サブフレームであるかを示すグラント情報内の値と関連付けられうる。シーケンス内の各サブフレームは、サブフレームにリッスン−ビフォア−トーク手順を提供するための時間ギャップを含めるかを示すグラント情報における値と関連付けられうる。シーケンス内の各サブフレームは、２つの独立した割り当て可能な値と関連付けられてもよく、そのうちの最初のものがそのサブフレームがデータサブフレームであるか制御サブフレームであるかを示す値であり、２番目のものがリッスン−ビフォア−トーク手順を提供するための時間ギャップをサブフレームに含めるかを示す値である。
【００５６】
方法１４００は、さらに、リッスン−ビフォア−トーク手順を提供するための時間ギャップをサブフレームに含めるかの表示を、Ｃ−ＰＵＣＣＨなどの別個の制御チャネルで受信する動作を含んでもよい。
【００５７】
上述のように、１つの実施形態において、データサブフレーム及び制御サブフレームのシーケンスは、グラント情報によって黙示的に記述されうる。シーケンスの黙示的な記述は、データサブフレームの位置又はデータサブフレームの範囲と相対的な制御サブフレームの位置に関する取り決めに基づいてもよい。シーケンスの黙示的な記述は、連続する範囲のサブフレームがその開始及び終了の観点から記述される取り決めに基づきうる。例えば、マルチサブフレームグラントは、ビットマップを用いてＰＵＳＣＨサブフレームの位置を明示的に示しうる。別の例として、ＭＳＦグラントは、最初のサブフレームと最後のサブフレームの範囲とを示しうる。このような例では、ＵＥは、ｅＰＵＣＣＨの位置を、例えば最後のＰＵＳＣＨ伝送の後又は代わりに最初のＰＵＳＣＨサブフレームの前のサブフレーム内であると、推測しうる。グラント情報によって記述されるシーケンスは、上りリンクグラントを含んでいるサブフレームの所定数のサブフレーム後に開始しうる。
【００５８】
上述の、別の実施形態では、上りリンクグラントは、所定の送信機会が制御サブフレームであるかを無線デバイスに示すアクティベーション情報を含みうる。所定の送信機会は、複数の無線デバイスに共通の制御チャネルにおいて受信されるシグナリングによって事前に示されうる。複数の無線デバイスに共通の制御チャネルは、セル固有でありうる。例えば、ｅＰＵＣＣＨサブフレーム機会の位置は、セル固有のＣ−ＰＤＣＣＨに基づいて定められてもよいし、全てのＵＥに対して共通であってもよい。このような例では、ＵＥ固有のＭＳＦグラントが、ｅＰＵＣＣＨ伝送を送信すべきか抑制すべきかを、特定のＵＥに示しうる。
【００５９】
上述の、さらに別の実施形態では、無線デバイスは、マルチキャリア動作に適合されてもよく、上りリンクグラントは複数の上りリンクキャリアでの同時送信に関連しうる。例えば、単一のＭＳＦグラントは、複数のＵＬキャリアにわたるＰＵＳＣＨ及びｅＰＵＣＣＨ伝送のスケジューリングシーケンスを示すために使用されうる。上りリンクグラントは、各上りリンクキャリアについて、その上りリンクキャリアにおけるデータサブフレーム及び制御サブフレームからなるシーケンスの全長を示すマルチキャリア情報を含みうる。
【００６０】
方法１４００は、ネットワークノード１２００へスケジューリング要求を初期的に送信する動作をさらに含みうる。
【００６１】
図１５は、本発明の例示の実施形態による、図１２のネットワークノード１２００によって実行される例示の方法１５００のフローチャートである。動作１５０２において、送信器１２０４は、無線デバイス１３００に対して、少なくとも１つのデータサブフレーム及び少なくとも１つの制御サブフレームを示す上りリンクグラント（例えば、ＵＥ固有のマルチサブフレームＵＬグラント）を送信しうる。データサブフレームは、データストリームとオプションで制御データを運ぶチャネル（例えばＰＵＳＣＨ）を送信するように無線デバイスにスケジューリングされるものであり、制御サブフレームは、制御データのみを運ぶためのチャネル（例えばＰＵＣＣＨ又はｅＰＵＣＣＨ）を送信するために無線デバイスにスケジューリングされるものでありうる。動作１５０４において、ネットワークノード１２００は、上りリンクグラントを受信した無線デバイス１３００から、受信器１３０２を介して、上りリンクグラントによって示されるサブフレームにおける送信信号を受信しうる。
【００６２】
上りリンクグラントは、データサブフレーム及び制御サブフレームからなるシーケンスを記述するグラント情報を含んでもよい。グラント情報は、シーケンス内の各サブフレームについて、それがデータサブフレームであるか制御サブフレームであるかを示しうる。シーケンス内の各サブフレームは、そのサブフレームがデータサブフレームであるか制御サブフレームであるかを示すグラント情報における値と関連付けられうる。シーケンス内の各サブフレームは、グラント情報においてリッスン−ビフォア−トーク手順に対応するための時間ギャップをサブフレーム内に含めるかを示す値と関連付けられうる。シーケンス内の各サブフレームは、独立して割り当て可能な値であって、そのうちの第１の値がそのサブフレームがデータサブフレームであるか制御サブフレームであるかを示す値であり、そのうちの第２の値がリッスン−ビフォア−トーク手順に対応するための時間ギャップをそのサブフレームに含めるかを示す値である、割り当て可能な値に関連付けられうる。
【００６３】
方法１５００は、さらに、Ｃ−ＰＵＣＣＨなどの別個の制御チャネルにおいて、リッスン−ビフォア−トーク手順に対応するための時間ギャップをサブフレームに含めるかの表示を送信する動作を含みうる。
【００６４】
１つの実施形態において、データサブフレーム及び制御サブフレームのシーケンスが、グラント情報によって黙示的に記述されうる。シーケンスの黙示的な記述は、データサブフレームの位置又はデータサブフレームの範囲に対する制御サブフレームの位置に関する合意に基づきうる。シーケンスの黙示的な記述は、その開始及び終了に関してサブフレームの連続する範囲が記述される合意に基づきうる。グラント情報で記述されるシーケンスは、上りリンクグラントを含んだサブフレームの所定数サブフレーム後に開始しうる。
【００６５】
別の実施形態において、上りリンクグラントは、所定の送信機会が制御サブフレームであるかを無線デバイスに対して示すアクティベーション情報を含みうる。所定の送信機会は、複数の無線デバイスに共通の制御チャネルで送信されるシグナリングにより、事前に示されてもよい。複数の無線デバイスに共通の制御チャネルは、セル固有でありうる。
【００６６】
また別の実施形態では、無線デバイスはマルチキャリア動作に適合してもよく、上りリンクグラントは複数の上りリンクキャリアでの同時送信に関係しうる。上りリンクグラントは、各上りリンクキャリアに対して、その上りリンクキャリアにおけるデータサブフレームと制御サブフレームとからなるシーケンスの全長を示すマルチキャリア情報を含みうる。
【００６７】
方法１５００は、さらに、無線デバイスからのスケジューリング要求を初めに受信する動作を含んでもよく、ここで、上りリンクグラントは、このスケジューリング要求の受信に応答して送信される。
【００６８】
ここで説明される１つ以上の実施形態において、上りリンクグラントは、１つのサブフレームに含まれうる。サブフレームは、１ｍｓの区間又は１ｍｓのオーダの区間を有しうる。
【００６９】
上りリンクグラントは、少なくとも１つのデータサブフレーム及び少なくとも１つの制御サブフレームの表示に加えて、以下のものの１つ以上を含みうる：れソース／インタレース割り当て及び周波数ホッピングフラグ；クロスキャリアスケジューリングのためのキャリア表示；変調及び符号化方式（ＭＣＳ）；ニューデータインジケータ（ＮＤＩ）；複合自動再送要求（ＨＡＲＱ）情報及びリダンダンシバージョン（ＲＶ）；スケジューリングされたＰＵＳＣＨのための電力制御コマンド；上りリンク復調参照信号（ＤＭＲＳ）のためのサイクリックシフト；リッスン−ビフォア−トーク手順に対応するための時間ギャップを伴う連続するサブフレームに対するフラグビット又はビット系列；非周期チャネル品質インデクス（ＣＱＩ）報告又は非周期サウンディング参照信号（ＳＲＳ）伝送の送信要求。
【００７０】
データサブフレーム及び制御サブフレームは、ライセンスされていない周波数などの、リッスン−ビフォア−トークに基づくキャリアで送信されうる。データサブフレームは、３ＧＰＰのＬＴＥで規定されるＰＵＳＣＨなどの、共有チャネルを送信するのに使用されうる。制御サブフレームは、３ＧＰＰのＬＴＥで規定されるＰＵＣＣＨ又はｅＰＵＣＣＨのいずれかを送信するのに使用されうる。上りリンクグラントは、３ＧＰＰのＬＴＥで規定されるＰＤＣＣＨで送信されうる。
【００７１】
本発明の実施形態は、ハードウェアモジュール及びソフトウェアモジュールの観点で表すこともできる。例えば、無線デバイスとネットワークノードとの少なくともいずれかが、上りリンクスケジューリングモジュール、上りリンクグラント受信モジュール、及び、ギャップ生成モジュールを含みうる。そのモジュールは、ハードウェア、ソフトウェア（例えば非一時的コンピュータ可読媒体（例えばメモリ）などのコンピュータ可読媒体に記憶されたソフトウェア）において実装され、１つ以上のプロセッサによって実行されうる。このモジュールは、ここで説明される１つ以上の実施形態に従って、ネットワークノード及び無線デバイスの機能性を提供するように動作しうる。
【００７２】
上記を考慮すると、実施形態は、ＵＬデータ及び制御チャネル伝送の両方のシーケンスをスケジューリングするように単一のマルチサブフレームＵＬグラントを使用するのに提案される。
【００７３】
本実施形態は、様々な利点を提供することができる。例えば、ＰＵＳＣＨ及びＰＵＣＣＨ伝送のシーケンスをスケジューリングするための、単一の、ＵＥ固有のマルチサブフレームＵＬグラントを使用することにより、ＤＬ及びＵＬのＬＢＴのための追加のギャップを取り入れる必要がなくなる。さらに、本実施形態は、ＵＬスループットを改善し、制御オーバーヘッドを低減し、Ｗｉ−Ｆｉノード又は他のＬＡＡノードに対するチャネルアクセスを失うリスクを低減する。
【００７４】
さらに、ｅＰＵＣＣＨの代わりにＰＵＳＣＨでＵＣＩを送信することが可能であるが、ｅＰＵＣＣＨは、同じインタレースで複数のＵＥを多重化するように設計されており、したがって、ＵＣＩ伝送のためのリソース使用の点でより効率的である。
【００７５】
この説明は、本発明を限定することを意図していないことが理解されるべきである。むしろ、実施形態は、請求の精神及び範囲に含まれる、代替手段、変形及び同等のものをカバーすることが意図されている。さらに、実施形態の詳細な説明において、本発明の包括的な理解を与えるために、数多くの特定の詳細について説明した。しかしながら、当業者は、このような特定の詳細を用いずに様々な実施形態を実践しうることを理解するだろう。
【００７６】
本実施形態の特徴及び要素について、特定の組み合わせで実施形態において説明したが、各特長又は要素は、実施形態の他の特徴及び要素なく単独で、又は、ここで開示される他の特徴及び要素との又はそれを除いた様々な組み合わせにおいて、用いることができる。
【００７７】
この明細書は、開示される主題の例を用いて、当業者が、任意のデバイスまたはシステムを作成して使用すること及び組み込まれる方法を実行することを含んだ同一のものを実践することを可能とする。本主題の特許性のある範囲は、当業者が思い当たる他の例を含みうる。このような他の例は、本出願の範囲内にあることが意図されている。
【図１】
2019505109.tif 000003
【図２】
2019505109.tif 000004
【図３】
2019505109.tif 000005
【図４】
2019505109.tif 000006
【図５】
2019505109.tif 000007
【図６】
2019505109.tif 000008
【図７】
2019505109.tif 000009
【図８】
2019505109.tif 000010
【図９】
2019505109.tif 000011
【図１０】
2019505109.tif 000012
【図１１】
2019505109.tif 000013
【図１２】
2019505109.tif 000014
【図１３】
2019505109.tif 000015
【図１４】
2019505109.tif 000016
【図１５】
2019505109.tif 000017
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
無線デバイスにおいて実行される方法（１４００）であって、
ネットワークノードからの、少なくとも１つのデータサブフレーム及び少なくとも１つの制御サブフレームを前記無線デバイスに示す上りリンクグラントであって、前記少なくとも１つのデータサブフレームはデータストリーム及びオプションで制御データを運ぶチャネルを送信するために前記無線デバイスにスケジューリングされるものであり、前記少なくとも１つの制御サブフレームは制御データのみを運ぶチャネルを送信するために前記無線デバイスにスケジューリングされるものである、前記上りリンクグラントを受信すること（１４０２）と、
前記上りリンクグラントにより示される前記少なくとも１つのデータサブフレームと前記少なくとも１つの制御サブフレームとの少なくともいずれかにおいて、送信を行うこと（１４０４）と、
を含む方法。
【請求項２】
ネットワークノードにおいて実行される方法（１５００）であって、
少なくとも１つのデータサブフレームと少なくとも１つの制御サブフレームとを無線デバイスに対して示す上りリンクグラントであって、前記少なくとも１つのデータサブフレームがデータストリーム及びオプションで制御データを運ぶチャネルを送信するために前記無線デバイスにスケジューリングされるものであり、前記少なくとも１つの制御サブフレームが制御データのみを運ぶためのチャネルを送信するために前記無線デバイスにスケジューリングされるものである、前記上りリンクグラントを送信すること（１５０２）と、
前記上りリンクグラントを受信した無線デバイスから、前記上りリンクグラントによって示される前記少なくとも１つのデータサブフレームと前記少なくとも１つの制御サブフレームとにおける送信信号を受信すること（１５０４）と、
を有する方法。
【請求項３】
前記上りリンクグラントは、データサブフレーム及び制御サブフレームからなるシーケンスを記述するグラント情報を含む、請求項１又は２に記載の方法。
【請求項４】
前記グラント情報は、前記シーケンスの各サブフレームに対して、当該サブフレームがデータサブフレームであるか制御サブフレームであるかを示す、請求項３に記載の方法。
【請求項５】
前記シーケンスにおける各サブフレームは、当該サブフレームがデータサブフレームであるか制御サブフレームであるかを示す前記グラント情報における値と、リッスン−ビフォア−トーク手順に対応するための時間ギャップを当該サブフレームに含めるかを示す前記グラント情報における値と、の少なくともいずれかと関連付けられる、請求項３又は４に記載の方法。
【請求項６】
前記シーケンスにおける各サブフレームは、独立して割り当て可能な２つの値であって、当該値のうちの第１の値は当該サブフレームがデータサブフレームであるか制御サブフレームであるかを示す値であり、当該値のうちの第２の値はリッスン−ビフォア−トーク手順に対応するための時間ギャップを当該サブフレームに含めるかを示す値である、前記２つの値と関連付けられる、請求項５に記載の方法。
【請求項７】
リッスン−ビフォア−トーク手順に対応するための時間ギャップをサブフレームに含めるかの表示を、別個の制御チャネルで受信することをさらに有する、請求項１に従属する請求項３から５のいずれか１項に記載の方法。
【請求項８】
リッスン−ビフォア−トーク手順に対応するための時間ギャップをサブフレームに含めるかの表示を、別個の制御チャネルで送信することをさらに有する、請求項２に従属する請求項３から５のいずれか１項に記載の方法。
【請求項９】
データサブフレーム及び制御サブフレームの前記シーケンスが、前記グラント情報によって黙示的に記述される、請求項３から８のいずれか１項に記載の方法。
【請求項１０】
前記シーケンスの前記黙示的な記述は、データサブフレームの位置又はデータサブフレームの範囲に対する制御サブフレームの位置についての合意に基づく、請求項９に記載の方法。
【請求項１１】
前記シーケンスの前記黙示的な記述は、サブフレームの連続した範囲が当該連続した範囲の開始及び終了に関して記述される合意に基づく、請求項１０に記載の方法。
【請求項１２】
前記上りリンクグラントを含んだサブフレームの所定数サブフレーム後に前記グラント情報によって記述される前記シーケンスが開始する、請求項３から１１のいずれか１項に記載の方法。
【請求項１３】
前記上りリンクグラントは、所定の送信機会が制御サブフレームであるかを前記無線デバイスに示すアクティベーション情報を含む、請求項１から１２のいずれか１項に記載の方法。
【請求項１４】
前記所定の送信機会は、複数の無線デバイスに共通の制御チャネルで受信されるシグナリングにより事前に示される、請求項１に従属する請求項１３に記載の方法。
【請求項１５】
前記所定の送信機会は、複数の無線デバイスに共通の制御チャネルで送信されるシグナリングにより事前に示される、請求項２に従属する請求項１３に記載の方法。
【請求項１６】
前記複数の無線デバイスに共通の前記制御チャネルはセル固有である、請求項１４又は１５に記載の方法。
【請求項１７】
前記無線デバイスはマルチキャリア動作に適合し、前記上りリンクグラントは複数の上りリンクキャリアにおける同時送信に関する、請求項１から１６のいずれか１項に記載の方法。
【請求項１８】
前記上りリンクグラントは、各上りリンクキャリアに対して、当該上りリンクキャリアにおけるデータサブフレームと制御サブフレームとからなるシーケンスの全長を示すマルチキャリア情報を含む、請求項１７に記載の方法。
【請求項１９】
前記ネットワークノードへ、スケジューリング要求を初めに送信することをさらに含む、請求項１および請求項１に従属する請求項３から１８のいずれか１項に記載の方法。
【請求項２０】
前記無線デバイスからスケジューリング要求を初めに受信することをさらに含み、当該スケジューリング要求の受信に応答して前記上りリンクグラントが送信される、請求項２および請求項２に従属する請求項３から１８のいずれか１項に記載の方法。
【請求項２１】
前記上りリンクグラントが１つのサブフレームに含まれる、請求項１から２０のいずれか１項に記載の方法。
【請求項２２】
前記サブフレームは、１ｍｓの区間又は１ｍｓのオーダの区間を有する、請求項２１に記載の方法。
【請求項２３】
前記上りリンクグラントは、少なくとも１つのデータサブフレーム及び少なくとも１つの制御サブフレームを示すことに加えて、
リソース／インタレース割り当て及び周波数ホッピングフラグ、
クロスキャリアスケジューリングのためのキャリアインジケータ、
変調及び符号化方式（ＭＣＳ）、
ニューデータインジケータ（ＮＤＩ）、
複合自動再送要求（ＨＡＲＱ）情報及びリダンダンシバージョン（ＲＶ）、
スケジューリングされたＰＵＳＣＨのための電力制御コマンド、
上りリンク復調参照信号（ＤＭＲＳ）のためのサイクリックシフト、
リッスン−ビフォア−トーク手順に対応するための時間ギャップを伴うサブフレームを設定するためのフラグビット又はビット系列、
非周期チャネル品質インデクス（ＣＱＩ）報告の送信又は非周期サウンディング参照信号（ＳＲＳ）伝送の要求、
のうちの１つ以上を含む、請求項１から２２のいずれか１項に記載の方法。
【請求項２４】
前記上りリンクグラントは、少なくとも１つのデータサブフレーム及び少なくとも１つの制御サブフレームを示すことに加えて、チャネル状態情報（ＣＳＩ）報告の要求と複合自動再送要求（ＨＡＲＱ）情報とのうちの１つ以上を含む、請求項１から２２のいずれか１項に記載の方法。
【請求項２５】
前記少なくとも１つのデータサブフレーム及び前記少なくとも１つの制御サブフレームは、ライセンスされていない周波数のような、リッスン−ビフォア−トークに基づくキャリアで送信されるべきものである、請求項１から２４のいずれか１項に記載の方法。
【請求項２６】
前記少なくとも１つのデータサブフレームは、共有チャネルを送信するために用いられる、請求項１から２５のいずれか１項に記載の方法。
【請求項２７】
前記共有チャネルは、３ＧＰＰのＬＴＥにおいて規定される物理上りリンク共有チャネル（ＰＵＳＣＨ）を含む、請求項２６に記載の方法。
【請求項２８】
前記少なくとも１つの制御サブフレームは、３ＧＰＰのＬＴＥにおいて規定される物理上りリンク制御チャネル（ＰＵＣＣＨ）又は拡張ＰＵＣＣＨ（ｅＰＵＣＣＨ）のいずれかを送信するために用いられる、請求項１から２７のいずれか１項に記載の方法。
【請求項２９】
前記上りリンクグラントは、３ＧＰＰのＬＴＥにおいて規定される物理下りリンク制御チャネル（ＰＤＣＣＨ）で送信される、請求項１から２８のいずれか１項に記載の方法。
【請求項３０】
前記別個の制御チャネルは、Ｃ−物理上りリンク制御チャネル（Ｃ−ＰＵＣＣＨ）を含む、請求項７又は８に記載の方法。
【請求項３１】
データサブフレームと制御サブフレームとからなる前記シーケンスは合計４つのサブフレームを有する、請求項３に記載の方法。
【請求項３２】
データサブフレームと制御サブフレームとからなる前記シーケンスは、３つのデータサブフレームと１つの制御サブフレームを含む、請求項３１に記載の方法。
【請求項３３】
データサブフレームと制御サブフレームとからなる前記シーケンスは、合計８又は１０個のサブフレームを含む、請求項３に記載の方法。
【請求項３４】
無線デバイス（１３００）であって、
受信器（１３０２）と、
送信器（１３０４）と、
少なくとも１つのプロセッサ（１３０６）と、
前記少なくとも１つのプロセッサ（１３０６）によって実行可能な命令を記憶するメモリ（１３０８）と、
を有し、
前記命令は、
ネットワークノードから、少なくとも１つのデータサブフレームと少なくとも１つの制御サブフレームとを前記無線デバイス（１３００）へ示す上りリンクグラントであって、前記少なくとも１つのデータサブフレームは、データストリーム及びオプションで制御データを運ぶチャネルを送信するために前記無線デバイス（１３００）にスケジューリングされるものであり、前記少なくとも１つの制御サブフレームは制御データのみを運ぶためのチャネルを送信するために前記無線デバイス（１３００）にスケジューリングされるものである、前記上りグラントを、前記受信器（１３０２）を用いて受信し、
前記上りリンクグラントによって示される前記少なくとも１つのデータサブフレームと前記少なくとも１つの制御サブフレームの少なくともいずれかにおいて、前記送信器（１３０４）を用いて、送信を行う、
ための命令である、無線デバイス。
【請求項３５】
前記メモリが請求項１に従属する請求項３から３３のいずれか１項に記載の方法を実行するための命令をさらに有する、請求項３４に記載の無線デバイス。
【請求項３６】
前記無線デバイスはユーザ端末である、請求項３４又は３５に記載の無線デバイス。
【請求項３７】
受信器（１２０２）、送信器（１２０４）、少なくとも１つのプロセッサ（１２０６）、及び前記少なくとも１つのプロセッサ（１２０６）によって実行可能な命令を記憶するメモリ（１２０８）を有するネットワークノード（１２００）であって、
前記命令は、
少なくとも１つのデータサブフレームと少なくとも１つの制御サブフレームとを無線デバイスへ示す上りリンクグラントであって、前記少なくとも１つのデータサブフレームはデータストリーム及びオプションで制御データを運ぶチャネルを送信するために前記無線デバイスにスケジューリングされるものであり、前記少なくとも１つの制御サブフレームは制御データのみを運ぶためのチャネルを送信するために前記無線デバイスにスケジューリングされるものである、前記上りグラントを、前記送信器（１２０４）を用いて送信し、
前記上りリンクグラントを受信した無線デバイスから、前記上りリンクグラントによって示される前記少なくとも１つのデータサブフレームと前記少なくとも１つの制御サブフレームにおける前記無線デバイスからの送信を、前記受信器を用いて、受信する、
ための命令である、ネットワークノード。
【請求項３８】
前記メモリが請求項２に従属する請求項３から３３のいずれか１項に記載の方法を実行するための命令をさらに有する、請求項３７に記載のネットワークノード。
【請求項３９】
プログラム可能なプロセッサに、請求項１から３３のいずれか１項に記載の方法を実行させるためのコンピュータ可読命令を有するコンピュータプログラム。
【請求項４０】
請求項３９に記載のコンピュータプログラムを記憶するコンピュータ可読媒体。
【国際調査報告】
2019505109.tif 000018
2019505109.tif 000019
2019505109.tif 000020